(57)【特許請求の範囲】
【請求項１】
上部開口を設けた容器本体と、
前記上部開口を閉じるための蓋と、を備え、
前記容器本体には突部斜め案内部と突部係止部と蓋支持部を設け、
前記蓋には側方に突出する突部と被支持部を設け、
前記蓋が前記容器本体の前記上部開口に、前記突部が前記突部斜め案内部上に位置するように置かれたとき、
前記蓋は、前記突部が前記突部斜め案内部に案内されて、前記被支持部が前記蓋支持部に支持されるまで自重により回転しながら落ち、
前記突部の一部の上方に前記突部係止部が位置するようになることを特徴とする液体容器。
【請求項２】
上部開口を設けた容器本体と、
前記上部開口を閉じるための蓋と、を備え、
前記蓋には突部斜め案内部と突部係止部と被支持部を設け、
前記容器本体には側方に突出する突部を設け、
前記蓋が前記容器本体の前記上部開口に、前記突部斜め案内部が前記突部上に位置するように置かれたとき、
前記蓋は、前記突部斜め案内部が前記突部に案内されて、前記被支持部が前記突部に支持されるまで自重により回転しながら落ち、
前記突部の一部の下方に前記突部係止部が位置するようになることを特徴とする液体容器。
【請求項３】
前記突部係止部の、前記蓋の自重による回転方向から見て奥側に本突部係止部を設けたことを特徴とする請求項１又は２記載の液体容器。
【請求項４】
前記突部係止部の、前記蓋の自重による回転方向から見て奥側に前記本突部係止部を設け、
前記突部係止部を下に凹とし、
前記蓋の自重による回転方向から見て前記本突部係止部の直前を下に凸としたことを特徴とする請求項１記載の液体容器。
【請求項５】
前記突部係止部の、前記蓋の自重による回転方向から見て奥側に前記本突部係止部を設け、
前記突部係止部を上に凹とし、
前記蓋の自重による回転方向から見て前記本突部係止部の直前を上に凸としたことを特徴とする請求項２記載の液体容器。
【請求項６】
前記突部を上方に頂点が位置するような三角形状とし、
前記突部係止部を前記突部の三角形状に合わせて下に凹としたことを特徴とする請求項１記載の液体容器。
【請求項７】
前記突部を下方に頂点が位置するような三角形状とし、
前記突部係止部を前記突部の三角形状に合わせて上に凹としたことを特徴とする請求項２記載の液体容器。
【発明の詳細な説明】
【技術分野】
【０００１】
本発明は、蓋の脱落防止構造を有する液体容器に関する。
【背景技術】
【０００２】
従来、水等の液体を内部に入れて蓋をすることでその液体を保持・保管することができ、必要に応じてコップ等の別容器にその液体を注いだり、使用者がその容器から直接その液体を摂取したりすることができるようにした液体容器が知られている。このように液体容器に蓋を設けることで、ほこり等の異物が液体容器の内部に侵入することを防止したり、液体容器から不用意に液体が流出することを防止したりするのである。
【０００３】
後者の目的に注目した場合、単に液体容器の上に載せる構造の蓋では十分にその目的を達成できない。なぜなら、液体容器が傾いたり倒れたりするとき、そのような蓋も同時に液体容器から容易に脱落してしまい、液体容器からの液体流出を防ぐことができないからである。
【０００４】
そこで、特許文献１に記載されているように、蓋と容器本体の接続部に脱落防止構造を設け、蓋が容器本体に固定されるようにした液体容器が提案されている。特許文献１に記載された蓋の脱落防止構造は、蓋及び容器本体にネジ構造とパッキンを設け、蓋を容器本体に対して回転させながらパッキンを押圧することにより、容器本体からの液体流出を防ぐように構成されている。
【０００５】
また、特許文献２に記載されているように、容器本体における蓋との接続部に複数の突起を設けると共に、これら突起と嵌合可能な係合孔を蓋に設けた液体容器も提案されている。ここで、係合孔は、入口側に形成された傾斜部と、傾斜部の後端側に連続する水平部とを有し、係合孔の入口を突起に合致させた後に蓋を回転すると、突起が係合孔の傾斜部を経て水平部に係止されるため、蓋が容器本体から脱落しないようになっている。
【先行技術文献】
【特許文献】
【０００６】
【特許文献１】実開昭５８−５６４５号公報
【特許文献２】実全昭４９−２３２７３号公報
【発明の概要】
【発明が解決しようとする課題】
【０００７】
しかし、特許文献１に記載された液体容器は、使用者が蓋を容器本体に載せた後に回転させることで、蓋と容器本体が螺合するようになっているため、蓋を回転させる作業を怠った場合には蓋と容器本体が係合せず、容器本体が傾くと蓋が容易に脱落してしまう虞があった。
【０００８】
また、特許文献２に記載された液体容器は、突起と係合孔という簡素な構成によって蓋を容器本体に固定することができるが、このものも蓋を容器本体に載せた後に回転する作業を怠った場合、突起が係合孔の水平部に係止されないため、容器本体が傾くと蓋が容易に脱落してしまう虞があった。
【０００９】
本発明は、このような課題を解決するためになされたもので、その目的は、蓋が容器本体から脱落してしまうことを確実に防止することができる液体容器を提供することにある。
【課題を解決するための手段】
【００１０】
本願請求項１に係る発明は次の構成を採用する。上部開口を設けた容器本体と、前記上部開口を閉じるための蓋と、を備え、前記容器本体には突部斜め案内部と突部係止部と蓋支持部を設け、前記蓋には側方に突出する突部と被支持部を設け、前記蓋が前記容器本体の前記上部開口に、前記突部が前記突部斜め案内部上に位置するように置かれたとき、前記蓋は、前記突部が前記突部斜め案内部に案内されて、前記被支持部が前記蓋支持部に支持されるまで自重により回転しながら落ち、前記突部の一部の上方に前記突部係止部が位置するようになることを特徴とする液体容器。
【発明の効果】
【００１１】
以上のような構成を採用することにより、使用者が蓋を容器本体に載せた後に蓋を回転させるなどの操作を行わなくとも、蓋が容器本体から脱落してしまうことを確実に防止することができる。
【図面の簡単な説明】
【００１２】
【図１】本発明に係る実施形態例１の全体図
【図２】本発明に係る実施形態例１の分解図
【図３】本発明に係る実施形態例１の蓋の側面図
【図４】本発明に係る実施形態例１の液体容器の側面図
【図５】本発明に係る実施形態例１の蓋裏側斜視図
【図６】本発明に係る実施形態例１の蓋を装着する様子の図１
【図７】本発明に係る実施形態例１の蓋を装着する様子の図２
【図８】本発明に係る実施形態例１の蓋を装着して水を注ぐ様子の図
【図９】本発明に係る実施形態例１の蓋が上部開口にはまっていない状態を示す図
【図１０】本発明に係る実施形態例２の蓋を装着する様子の図１
【図１１】本発明に係る実施形態例２の蓋を装着する様子の図２
【図１２】本発明に係る実施形態例２の蓋を装着する様子の図３
【図１３】本発明に係る実施形態例２の水を注ぐときの様子の図
【図１４】本発明に係る実施形態例２の変形例１を示す図
【図１５】本発明に係る実施形態例２の変形例１を示す拡大図
【図１６】本発明に係る実施形態例２の変形例２を示す図
【図１７】本発明に係る実施形態例２の変形例２を示す拡大図
【図１８】本発明に係る実施形態例３を示す図
【図１９】本発明に係る実施形態例３の蓋を装着した状態を示す図
【発明を実施するための形態】
【００１３】
発明の実施の形態について図面を参照して説明すると、図１及び図２に示すように、本発明の実施形態例１に係る液体容器である電気ケトル１は、上部開口１７を有する容器本体２と、上部開口１７を閉じる蓋３とを備えており、容器本体２は注ぎ口５、把手４及びスイッチ７を除いた部分が略円柱形状となっている。
【００１４】
なお、本明細書において、上方あるいは下方と表現するときには、電気ケトル１を通常の使用時の状態に載置したときの電気ケトル１の上方あるいは下方を意味する。
【００１５】
容器本体２及び蓋３は合成樹脂材料からなり、容器本体２の上部開口上面である蓋支持部１６が蓋３下面の縁に形成された被支持部１１に当接することで、容器本体２が蓋３を支えている。
【００１６】
スイッチ７は容器本体２の内底部に設けられたヒータ（図示せず）のオン／オフを操作するためのものであり、把手４の下に設けられている。把手４と反対側の容器本体２上部には注ぎ口５が設けられている。
【００１７】
蓋３の上面に二つ設けられた蓋保持用凹部６は使用者が指で蓋３を保持するためのものであり、蓋裏部９の外周面９ａには、水平方向に突出する逆くの字状の突部１２が、平面視した蓋３の中央を中心軸とする回転対称な位置に回転対称な形状で２つ設けられている。
【００１８】
図５に示すように、蓋裏部９には、蓋３を上部開口１７以外の場所に置くための４つの支持足１０が設けられており、蓋裏部９は容器本体２や蓋３の外面の色とは異なる色の注意喚起部となっている。
【００１９】
蓋裏部９の色は容器本体２や蓋３の外面の色と対照となるような色が好ましく、容器本体２や蓋３の外面の色が白色ならば、蓋裏部９の色は赤色やオレンジ色、容器本体２や蓋３の外面の色が黒色ならば、蓋裏部９の色は白色や赤色、オレンジ色などとすることが好ましい。
【００２０】
図４に示すように、容器本体２の上部開口１７の内周面には、突部斜め案内部１３が突部１２と対応する位置に２つ設けられている。これら突部斜め案内部１３は傾斜を有しており、上部開口１７の内周面には、突部斜め案内部１３の傾斜を降りた先の上方に突部係止部１４が設けられている。
【００２１】
突部斜め案内部１３の水平面に対する傾斜角度は１５〜４５度の範囲に設定されており、本実施形態例では約２３度となっている。また、突部１２及び突部斜め案内部１３がポリプロピレン等の硬質プラスチックで形成されており、その表面に鏡面加工が施されていると好ましい。このような構成とすることで、後に詳述する、蓋３の自重により突部１２が突部斜め案内部１３に案内されて蓋３が周方向に回転しながら落ちる動作がより円滑となる。
【００２２】
次に、上記のごとく構成された実施形態例１に係る電気ケトル１の使用方法について説明する。
【００２３】
使用者が本電気ケトル１を使用して湯を沸かす場合には、まず蓋３を容器本体２より外して容器本体２内部に水を入れる。
【００２４】
次に、図６に示すように、蓋３を突部１２が突部斜め案内部１３上方に位置するように容器本体２上方に置く。このとき、蓋３の上面に設けられた蓋側ロックマーカー１８と把手の上側に設けられた把手側ロックマーカー１９が合わさるように置くと、突部１２が突部斜め案内部１３上方に位置するようになっている。
【００２５】
図７に示すように、突部１２が蓋３の自重により突部斜め案内部１３に案内され（Ｙ１）ることにより、蓋３が周方向に回転しながら落ち（Ｙ２）、突部１２の先端１２ａが突部係止部１４の下方まで移動する。
【００２６】
このように蓋３が回転しながら落ちることにより、図８に示すように、湯が沸いた後に湯を注ぐために使用者が電気ケトル１を傾けても、突部１２が突部係止部１４に引っかかり、蓋３の脱落を防ぐことができる。
【００２７】
具体的には、容器本体２を傾け始めた段階においては、蓋裏部９の外周面９ａの注ぎ口５側が容器本体２の上部開口１７の内周面に支持されると共に、容器本体２の蓋支持部１６も蓋３を支持しているため、蓋３が容器本体２から脱落するということはない。
【００２８】
更に傾けて容器本体２の傾きが９０度以上となると、容器本体２の蓋支持部１６が蓋３を支持しなくなる。このような状況でも、突部１２が突部係止部１４に係止されているため、蓋３が容器本体２から脱落しない。
【００２９】
また、容器本体２の傾きが９０度未満の約４５度付近であっても、容器本体２を勢いよく傾けた場合には、容器本体２内の湯が蓋３を外方向へ押し出す力が働いたり、蓋３自体に大きな慣性が働いたりする可能性がある。このような場合であっても、突部１２が突部係止部１４に係止されているため、蓋３が容器本体２から脱落してしまうことがない。
【００３０】
また、蓋３を容器本体２から取り外して机等の上部開口１７以外の場所に置くとき、支持足１０を用いることにより蓋３上面を上側としながら蓋裏部９全体が机等に接触することがなく置くことができ、衛生的である。また、再び蓋３を持つ際に蓋３上面にある蓋保持部６を持ちやすい。
【００３１】
図９に示すように、突部１２は側方に延出しているため、突部１２が突部斜め案内部１３上に置かれなければ、突部１２が上部開口１７の内側部分にぶつかるため、蓋３は上部開口１７にしっかりと嵌らなくなる。その場合、容器本体２と蓋３との間に隙間が生じるため、蓋裏部９の注意喚起部が側方から見える状態となる。
【００３２】
ここで、注意喚起部は容器本体２や蓋３の外側の色と異なるため、使用者は、蓋３の突部１２が突部斜め案内部１３上にないという状態を明瞭に認識することができ、確実に蓋３の突部１２を突部案内部上に置くことができる。
【００３３】
実施形態例２は、突部係止部１４の更にその先に本突部係止部１５が設けられている電気ケトル１である。
【００３４】
この電気ケトル１の容器本体２に蓋３を装着するには、図１０及び図１１に示すように、使用者は指を蓋保持部６に引っ掛けて蓋３を持ち、突部１２が突部斜め案内部１３の上方に位置するように、蓋３を容器本体２の上方に移動させる。更に使用者が蓋３を容器本体２方向へ移動させると、突部１２が突部斜め案内部１３に案内されて蓋３が周方向に回転しながら、被支持部１１が容器本体２の蓋支持部１６に接触するまで移動する。
【００３５】
その後、図１２に示すように、使用者が更に蓋３を周方向に回転させると、突部１２が本突部係止部１５に係止される位置まで移動し、蓋３が容器本体２に対して確実に固定される。
【００３６】
図１３に示すように、使用者が把手４を持ち、電気ケトル１を注ぎ口５側に傾けても、蓋３の突部１２が容器本体２の本突部係止部１５に係止されているため、蓋３は確実に容器本体２に固定されており、脱落することがない。
【００３７】
ところで、電気ケトルなどの液体容器はお湯が必要なときに毎回使用するものであり、食事毎に使用する場合には一日三回、一年間で１０００回以上使用することとなる。このように使用回数が多いとそのうちの数回において、使用者が蓋３を容器本体２にしっかり固定しないなどの誤った使い方をしてしまう場合も想定される。
【００３８】
そのような場合にも、突部１２が突部斜め案内部１３上方に位置するように使用者が蓋３を容器本体２に置きさえすれば、蓋は本体に係止され安全である。
【００３９】
すなわち、突部１２が蓋３の自重により突部斜め案内部１３に案内されることにより、蓋３が周方向に回転しながら落ち、突部１２の先端１２ａが突部係止部１４の下方まで移動する。これにより、容器本体２を傾けても突部１２が突部係止部１４に係止され、蓋３が容器本体２から容易に脱落しない。
【００４０】
実施形態例２において、図１４及び図１５に示すように、突部１２の先端１２ａを電気ケトル１の上方に向かって凸な形状とし、突部係止部１４を下方に向かって凹形状とし、本突部係止部１５の奥１５ａの直前を下方に向かって凸形状としてもよい。
【００４１】
このような構成の変形例によれば、蓋３を容器本体２上に、突部１２が突部斜め案内部１３の上方に位置するように置くだけでも、電気ケトル１を傾けたときに蓋３の突部１２が容器本体２の突部係止部１４により強固に係止される。更に、突部１２が本突部係止部１５の奥１５ａまで来るまで使用者が蓋３を回転させたときにも、突部１２が本突部係止部１５により確実に係止される。
【００４２】
突部１２の先端１２ａは、丸形形状や三角形状としてもよい。
【００４３】
図１６及び図１７に示すように、特に突部１２の先端１２ａを三角形状とした場合においては、突部係止部１４をその三角形状に合わせた形に凹形状としてもよい。このようにすることで、電気ケトル１を傾けて突部１２が突部係止部１４に係止されるときに、突部１２が突部係止部１４の最も深い位置で係止されやすくなる。したがって、蓋３の突部１２がより強固に容器本体２の突部係止部１４に係止される。
【００４４】
この場合には、蓋３と容器本体２の係止が強固となるので、単にお湯を注ぐ動作だけではなく、コーヒーを抽出する際のドリップ動作のように、電気ケトル１を揺らしながら湯を注ぐような場合にも蓋３が容器本体２から脱落することがない。
【００４５】
図１８及び図１９に示される他の実施形態例３に係る蓋付きコップ（液体容器）は、実施形態例１に係る電気ケトル１とは逆に、容器本体２に突部１２が設けられ、蓋３に突部斜め案内部１３が設けられている。
【００４６】
すなわち、蓋裏部９の外周面９ａにスリット状の突部斜め案内部１３が設けられ、その斜面を昇った先に被支持部１１、突部係止部１４、本突部係止部が形成されている。突部係止部１４及び本突部係止部１５の上方が被支持部１１となっている。
【００４７】
また、容器本体２に丸形の突部１２が設けられており、突部１２は前述した実施形態例１における蓋支持部１６を兼ねている。蓋３の突部案内部の斜面を登った先にある被支持部１１と容器本体２の突部１２が当接し、容器本体２は蓋３を支えている。
【００４８】
このような構成とすることで、容器本体２の上部開口１７の内側に突部斜め案内部１３、突部係止部１４及び本突部係止部１５を設けた場合（実施形態例１）に比べると、上部開口１７の縁を薄くすることができるため、使用者はコップ（容器本体２）に口を付けて液体を飲みやすくなる。
【００４９】
次に、上記のごとく構成された実施形態例３に係る蓋付きコップの使用方法について説明する。使用者が、突部斜め案内部１３の入口側が突部１２の上方に位置するように蓋３を上部開口１７に置くと、蓋３の自重により突部斜め案内部１３が突部１２上を滑り、突部１２が被支持部１１に接触するまで蓋３は周方向に回転しながら落ちる。
【００５０】
このとき、突部１２の下方に突部係止部１４が位置する。使用者が更に蓋３を周方向に回転させると、突部１２が本突部係止部１５に係止され、蓋３が容器本体２に確実に固定される。
【００５１】
使用者が蓋３を周方向に回転させる操作を行わなくとも、容器本体２が傾いた際には、蓋３の突部係止部１４が突部１２と接触して係止され、蓋３が容器本体２から容易に脱落するということはない。
【００５２】
また、ここまで実施形態例１、２、３として電気ケトルや蓋付きコップを挙げたが、液体を入れる容器であって蓋を有するものであれば本発明は適用可能であり、たとえば蓋を有するやかんや水差し、急須などへの適用も可能である。
【産業上の利用可能性】
【００５３】
本発明は電気ケトルや蓋付きコップなどの液体容器に適用することができる。本発明の適用により、使用者が蓋の容器本体への装着操作を誤った場合にも、液体容器が傾いたときに蓋の容器本体からの脱落を防ぐことができ、液体が意図せず流出することを防止できるため有用である。
【符号の説明】
【００５４】
１      電気ケトル（液体容器）
２      容器本体
３      蓋
４      把手
５      注ぎ口
６      蓋保持部
７      スイッチ
８      電源台
９      蓋裏部（注意喚起部）
９ａ    外周面
１０    支持足
１１    被支持部
１２    突部
１２ａ  先端
１３    突部斜め案内部
１４    突部係止部
１５    本突部係止部
１５ａ  奥
１６    蓋支持部
１７    上部開口
１８    蓋側ロックマーカー
１９    把手側ロックマーカー
H      手
W      水
Ｙ１    突部が案内される方向を示す矢印
Ｙ２    蓋が回転する方向を示す矢印
【要約】      （修正有）【課題】蓋を容器本体に装着する操作を簡易化しつつ、蓋が容器本体から脱落することを防止できる液体容器を提供する。【解決手段】容器本体２は把手４と注ぎ口５を備えており、蓋３を上部に装着することができる。蓋３の蓋裏部９には支持足１０が設けられており、外周面９ａには突部１２が設けられている。突部１２が突部斜め案内部１３の上に位置するように蓋３が容器本体２の上に置かれると、突部１２が蓋３の自重により突部斜め案内部１３に案内される（Ｙ１）。そして、蓋３が周方向に回転しながら蓋３の被支持部１１が容器本体２の蓋支持部１６に支持されるまで落ち（Ｙ２）、突部１２の先端が突部係止部１４の下方まで移動する。この状態で使用者が把手４を持ち容器本体２を傾けたとき、突部１２の先端が突部係止部１４に係止されて蓋３が容器本体２から脱落しない。【選択図】図７【図１】
0006712748.tif 000002
【図２】
0006712748.tif 000003
【図３】
0006712748.tif 000004
【図４】
0006712748.tif 000005
【図５】
0006712748.tif 000006
【図６】
0006712748.tif 000007
【図７】
0006712748.tif 000008
【図８】
0006712748.tif 000009
【図９】
0006712748.tif 000010
【図１０】
0006712748.tif 000011
【図１１】
0006712748.tif 000012
【図１２】
0006712748.tif 000013
【図１３】
0006712748.tif 000014
【図１４】
0006712748.tif 000015
【図１５】
0006712748.tif 000016
【図１６】
0006712748.tif 000017
【図１７】
0006712748.tif 000018
【図１８】
0006712748.tif 000019
【図１９】
0006712748.tif 000020